(57)【要約】【課題】車両への搭載性を良好にする電動倍力装置を提供する。【解決手段】電動倍力装置１は、入力部材５４の移動に応じて駆動される電動モータ５０と、該電動モータ５０の駆動を制御する制御基板１８０と、電動モータ５０からの回転が伝達される減速機構５１と、該減速機構５１からの回転運動を直線運動に変換して、マスタシリンダ２のピストン７、８を移動させる回転直動変換機構５２と、を備えており、制御基板１８０は、電動モータ５０と減速機構５１との間に配置されている。これにより、電動倍力装置１の車両への搭載性を良好にすることができる。【選択図】図３
2019142342.tif 000002
【特許請求の範囲】
【請求項１】
入力部材の移動に応じて駆動される電動モータと、
該電動モータの駆動を制御する制御基板と、
前記電動モータからの回転が伝達される減速機構と、
該減速機構からの回転運動を直線運動に変換して、マスタシリンダのピストンを移動させる回転直動変換機構と、
を備えた電動倍力装置であって、
前記制御基板は、前記電動モータと前記減速機構との間に配置されていることを特徴とする電動倍力装置。
【請求項２】
前記電動モータの近傍に、前記制御基板と電気的に接続されるコネクタ部が設けられていることを特徴とする請求項１に記載の電動倍力装置。
【請求項３】
前記コネクタ部は、前記電動モータの回転軸と平行に配置されることを特徴とする請求項２に記載の電動倍力装置。
【請求項４】
前記制御基板は、
前記電動モータの回転軸の軸方向に対して直交する方向に延びる第１基板部と、
該第１基板部と一体的に接続され、前記回転軸の軸方向に対して平行に延びる第２基板部と、
を備えていることを特徴とする請求項１〜３いずれかに記載の電動倍力装置。
【請求項５】
前記第１基板部には、前記回転軸が挿通される開口部が形成されることを特徴とする請求項４に記載の電動倍力装置。
【請求項６】
前記制御基板の電子部品は、該電子部品の発熱量に基づいて、前記第１基板部または第２基板部のいずれかに実装されることを特徴とする請求項４または５に記載の電動倍力装置。
【請求項７】
発熱量が基準値よりも大きい電子部品は、前記第１基板部に実装されることを特徴とする請求項６に記載の電動倍力装置。
【発明の詳細な説明】
【技術分野】
【０００１】
本発明は、自動車等の車両のブレーキ装置に組み込まれ、電動モータを利用して、マスタシリンダにブレーキ液圧を発生させる電動倍力装置に関するものである。
【背景技術】
【０００２】
例えば、特許文献１に記載されている電動倍力装置は、入力ロッドのストロークに基づいて駆動される電動モータと、該電動モータの回転位置の検出結果及び入力ロッドのストロークの検出結果等に基づいて電動モータの駆動を制御するコントローラと、電動モータからの回転運動を直線運動に変換して、マスタシリンダのピストンを移動させる回転直動変換機構と、を備えている。この電動倍力装置においては、コントローラ、すなわち制御基板を内部に収容した略直方体状のケーシングが、電動モータの一側方に上下方向に沿って配置されている。
【先行技術文献】
【特許文献】
【０００３】
【特許文献１】特開２０１６−１２４３４４号公報
【発明の概要】
【発明が解決しようとする課題】
【０００４】
上述したように、特許文献１に係る電動倍力装置では、コントローラである、制御基板を備えた略直方体状のケーシングが、電動モータの一側方に上下方向に沿って配置されているために、車両の限られたスペースへの設置が難しくなり、車両への搭載性が好ましくない。
【０００５】
そして、本発明は、上記事情に鑑みてなされたもので、車両への搭載性を良好にする電動倍力装置を提供することを課題としてなされたものである。
【課題を解決するための手段】
【０００６】
上記課題を解決するために、本発明の電動倍力装置は、入力部材の移動に応じて駆動される電動モータと、該電動モータの駆動を制御する制御基板と、前記電動モータからの回転が伝達される減速機構と、該減速機構からの回転運動を直線運動に変換して、マスタシリンダのピストンを移動させる回転直動変換機構と、を備えた電動倍力装置であって、
前記制御基板は、前記電動モータと前記減速機構との間に配置されていることを特徴とする。
【発明の効果】
【０００７】
本発明に係る電動倍力装置によれば、車両への搭載性を良好にすることができる。
【図面の簡単な説明】
【０００８】
【図１】本実施形態に係る電動倍力装置の斜視図である。
【図２】本実施形態に係る電動倍力装置の前面図である。
【図３】図２におけるＡ−Ａ線に沿う断面図である。
【図４】図３の一部拡大図である。
【図５】図２におけるＢ−Ｂ線に沿う断面図である。
【図６】本実施形態に係る電動倍力装置であって、遊星歯車減速機構と電動モータとの間に配置されたコントローラの分解斜視図である。
【図７】本実施形態に係る電動倍力装置であって、遊星歯車減速機構と電動モータとの間に配置されたコントローラの分解斜視図である。
【発明を実施するための形態】
【０００９】
以下に、本実施形態に係る電動倍力装置１を図１〜図７に基づいて詳しく説明する。図３に示すように、本実施形態に係る電動倍力装置１は、タンデム型のマスタシリンダ２を連結した構造を有している。以下の説明では、図において、ブレーキペダル７８（クレビス７７）側を車両後方として、マスタシリンダ２側を車両前方として説明する。また、図において、リザーバ３側を車両上方として、マスタシリンダ２側を車両下方として説明する。
【００１０】
まず、マスタシリンダ２を図３に基づいて詳細に説明する。
マスタシリンダ２は、その後端部が、本電動倍力装置１の、後述するフロントハウジング６１の前壁部に設けた開口部６１Ａ（図５も参照）に挿通されて連結される。マスタシリンダ２の上部には、マスタシリンダ２にブレーキ液を供給するリザーバ３が取り付けられている。マスタシリンダ２には、有底のシリンダボア４が形成されている。このシリンダボア４の開口部側にプライマリピストン７が配置される。プライマリピストン７の前部は、マスタシリンダ２のシリンダボア４内に配置される。プライマリピストン７の後部は、シリンダボア４からフロントハウジング６１の開口部６１Ａを経由してハウジング６０内に延びている。
【００１１】
プライマリピストン７の前部及び後部は、それぞれカップ状に形成され、全体として断面Ｈ字状に形成される。プライマリピストン７の軸方向略中央に設けられた中間壁１０の後面に球状凹部１１が形成される。該球状凹部１１に、後述する電動倍力装置１の出力ロッド１１６の押圧ロッド１１９の球状面１２３が当接される。シリンダボア４の底部側には、カップ状のセカンダリピストン８が配置されている。そして、マスタシリンダ２のシリンダボア４内には、プライマリピストン７とセカンダリピストン８との間にプライマリ室１３が形成され、シリンダボア４の底部とセカンダリピストン８との間にセカンダリ室１４が形成される。
【００１２】
マスタシリンダ２のプライマリ室１３及びセカンダリ室１４は、それぞれ、マスタシリンダ２の２個の液圧ポート１６、１６（図１参照）から２系統のアクチュエーション管路（図示略）を介して液圧制御ユニット（図示略）に連通されている。該液圧制御ユニットは、４系統のファンデーション管路（図示略）を介して各車輪のホイールシリンダ（図示略）にそれぞれ連通されている。そして、マスタシリンダ２、または、液圧制御ユニットによって発生されるブレーキ液の液圧を各車輪のホイールシリンダに供給して制動力を発生させている。
【００１３】
マスタシリンダ２には、プライマリ室１３及びセカンダリ室１４をそれぞれリザーバ３に接続するためのリザーバポート１８、１９が設けられている。シリンダボア４の内周面には、シリンダボア４内をプライマリ室１３及びセカンダリ室１４に区画するために、プライマリピストン７及びセカンダリピストン８に当接する環状のピストンシール２０、２１、２２、２３が軸方向に沿って所定間隔を置いて配置されている。ピストンシール２０、２１は、軸方向に沿って一方のリザーバポート１８（後側）を挟んで配置されている。プライマリピストン７が図５に示す非制動位置にあるとき、プライマリ室１３は、プライマリピストン７の側壁に設けられたピストンポート２５を介してリザーバポート１８に連通する。そして、プライマリピストン７が非制動位置から前進してピストンポート２５が一方のピストンシール２１（前側）に達したとき、プライマリ室１３がピストンシール２１によってリザーバポート１８から遮断されて液圧が発生する。
【００１４】
同様に、残りの２つのピストンシール２２、２３は、軸方向に沿って他方のリザーバポート１９（前側）を挟んで配置されている。セカンダリピストン８が図５に示す非制動位置にあるとき、セカンダリ室１４は、セカンダリピストン８の側壁に設けられたピストンポート２６を介してリザーバポート１９に連通している。そして、セカンダリピストン８が非制動位置から前進してピストンポート２６が一方のピストンシール２３（前側）に達したとき、セカンダリ室１４がピストンシール２３によってリザーバポート１９から遮断されて液圧が発生する。
【００１５】
プライマリピストン７とセカンダリピストン８との間には、圧縮コイルばね２８が介装されている。圧縮コイルばね２８により、プライマリピストン７とセカンダリピストン８とを互いに離間する方向に付勢する。圧縮コイルばね２８の内部には、一定範囲で伸縮自在の伸縮部材２９が配置されている。該伸縮部材２９は、プライマリピストン７の中間壁１０に当接されるリテーナガイド３０と、セカンダリピストン８に前端が当接され、該リテーナガイド３０内を軸方向に移動可能なリテーナロッド３１と、からなる。
【００１６】
シリンダボア４の底部とセカンダリピストン８との間には、圧縮コイルばね３３が介装されている。圧縮コイルばね３３により、シリンダボア４の底部とセカンダリピストン８とを互いに離間する方向に付勢する。圧縮コイルばね３３の内部にも、一定範囲で伸縮自在の伸縮部材３４が配置されている。該伸縮部材３４は、セカンダリピストン８に後端が当接されるリテーナガイド３５と、シリンダボア４の底部に前端が当接され、該リテーナガイド３５内を軸方向に移動可能なリテーナロッド３６と、からなる。
【００１７】
次に、本実施形態に係る電動倍力装置１を図３〜図７に基づいて、図１及び図２も適宜参照しながら詳細に説明する。本実施形態に係る電動倍力装置１は、図３及び図５に示すように、大略、電動モータ５０、減速機構５１、回転直動変換機構５２、ストローク検出装置５３、入力部材５４及びコントローラ５５を備えている。
【００１８】
本実施形態に係る電動倍力装置１は、図３及び図５に示すように、減速機構５１、回転直動変換機構５２、入力部材５４及び後述するアシスト部材９３等を収容するハウジング６０を有する。ハウジング６０は、フロントハウジング６１と、該フロントハウジング６１の後端開口側に連結されるリアハウジング６２と、リアハウジング６２の後側に連結されるギヤハウジング６５と、から構成される。フロントハウジング６１は、有底筒状に形成されている。この底部が前側に位置し前壁部として構成され、開口側が後側に位置する。フロントハウジング６１の前壁部で左右方向略中央に、開口部６１Ａが形成される。当該開口部６１Ａにマスタシリンダ２の後端部が挿通されて、マスタシリンダ２がフロントハウジング６１に連結される。フロントハウジング６１内で、マスタシリンダ２の後端部を中心に左右方向両側に回転直動変換機構５２が収容される。
【００１９】
ギヤハウジング６５内には、回転直動変換機構５２の各ねじ軸部材１６０の後端部から減速機構５１を含んで収容される。リアハウジング６２は、マスタシリンダ２と同軸上を後方に向かって突設されて、入力部材５４及び後述するアシスト部材９３が収容される円筒状ハウジング６６を一体的に備えている。図６及び図７も参照して、このリアハウジング６２により、フロントハウジング６１の後端開口を閉塞すると共に、後述するケーシング１８１の後端開口、すなわち第１及び第２支持凹部１８８、２００の後端開口を閉塞する。なお、図５に示すように、リアハウジング６２内には、後述する回転直動変換機構５２の各ねじ軸部材１６０の多段軸部１６４を回転自在に支持する支持孔６３Ａを有するリアベアリング６３が配置されている。
【００２０】
図３及び図５に示すように、図１も参照して、円筒状ハウジング６６の周りに取付プレート６９が固定される。該取付プレート６９には、後方に向かって延びる複数のスタッドボルト７０が取り付けられている。そして、本電動倍力装置１は、入力部材５４の入力ロッド７４を、車両のエンジンルームと車室との隔壁であるダッシュパネル（図示略）から車室内に突出させた状態で、エンジンルーム内に配置されて、複数のスタッドボルト７０を用いてダッシュパネルに固定される。
【００２１】
入力部材５４は、リアハウジング６２の円筒状ハウジング６６内を往復移動する。当該入力部材５４は、入力ロッド７４と入力プランジャ７５とからなる。入力ロッド７４の後端部にはクレビス７７が接続される。入力ロッド７４は、クレビス７７を介してブレーキペダル７８に連結される。これにより、ブレーキペダル７８が操作されることで、入力ロッド７４は、軸方向に沿って移動するようになる。入力ロッド７４の前端部は、円筒状ハウジング６６内に配置される。入力ロッド７４の前端に設けたボールジョイント部７９が入力プランジャ７５の後端部に連結される。当該入力プランジャ７５は、マスタシリンダ２のプライマリピストン７及びセカンダリピストン８を前進させて、プライマリピストン７及びセカンダリピストン８からの反力の一部が伝達される。
【００２２】
入力プランジャ７５は、全体として棒状に形成され、入力ロッド７４と同心状に配置されている。入力プランジャ７５は、主ロッド部８２と、主ロッド部８２から前方に一体的に延び、主ロッド部８２より小径の小径ロッド部８３と、該小径ロッド部８３から前方に一体的に延び、小径ロッド部８３より僅かに大径の押圧ロッド部８４と、主ロッド部８２から後方に一体的に延びる筒状かしめ部８５と、を備えている。主ロッド部８２の後端面で径方向中央部に、入力ロッド７４のボールジョイント部７９が連結される球状凹部８７が形成される。主ロッド部８２の外周面において、前方寄りに、環状に延びる環状溝部８８が形成される。入力プランジャ７５の筒状かしめ部８５は、主ロッド部８２の外径よりも大径に形成される。筒状かしめ部８５の外周面には、カシメ用工具を挿入するための環状凹部９０が形成される。筒状かしめ部８５の内部は、主ロッド部８２の後端面に設けた球状凹部８７に連続する。
【００２３】
入力プランジャ７５の径方向外方にアシスト部材９３が配置される。アシスト部材９３は、全体として円筒状に形成され、入力プランジャ７５と同心状に配置される。アシスト部材９３は、その前端部に径方向外方に向かって突設される環状受け部９４を有している。アシスト部材９３の後端面から環状受け部９４に至る本体部は、リアハウジング６２の円筒状ハウジング６６内に収容される。環状受け部９４には、その外周面後端から、後方に向かって縮径されるテーパ状の受け面９５が形成される。アシスト部材９３の環状受け部９４（受け面９５）に推力伝達部材１２６が後方から当接される。該推力伝達部材１２６の構成は後述する。アシスト部材９３の前端部、すなわち環状受け部９４から前側の部位に、後述する出力ロッド１１６のカップ部１１８内にその外周面が当接するように配置される小径円筒部９６が形成される。この小径円筒部９６は、アシスト部材９３の環状受け部９４から後側の本体部よりも小径に形成される。
【００２４】
アシスト部材９３の、環状受け部９４から後側の本体部の外周面には、一対の平面部９７、９７が形成されている。平面部９７、９７は、アシスト部材９３の外周面における上下一対に形成される。アシスト部材９３には、上側の平面部９７に開口する溝部９８が形成され、該溝部９８はアシスト部材９３内（第１及び第２開口部１０１、１０２）と連通している。該溝部９８はアシスト部材９３の後端面から軸方向に沿って所定距離形成されている。アシスト部材９３は、その後端面から軸方向に沿って開口される第１開口部１０１と、該第１開口部１０１から前方に連続して軸方向に沿って開口され、第１開口部１０１より小径の第２開口部１０２と、小径円筒部９６の内部であって、第２開口部１０２から前方に連続して軸方向に沿って前端面まで開口され、第２開口部１０２より小径の第３開口部１０３と、を備えている。これら第１〜第３開口部１０１〜１０３は同心状に形成される。
【００２５】
アシスト部材９３には、第２開口部１０２の前方寄りに、第２開口部１０２の内径より大きい縦長のスリット１０６が径方向に沿って貫通している。このスリット１０６は、入力プランジャ７５に設けた環状溝部８８と軸方向の位置が略同じである。スリット１０６の幅長は、環状溝部８８の幅長より大きく設定されている。そして、ストッパ１０８の一対の挟持部材１０９、１０９が、アシスト部材９３のスリット１０６を通じて、入力プランジャ７５の環状溝部８８に係合される。これにより、入力プランジャ７５は、各挟持部材１０９とアシスト部材９３のスリット１０６との間の前後方向のクリアランス分だけ、アシスト部材９３に対する前後方向への相対移動が許容される。アシスト部材９３の第１開口部１０１内に入力プランジャ７５の筒状かしめ部８５が挿通される。アシスト部材９３の第１開口部１０１から第２開口部１０２内に亘って、入力プランジャ７５の主ロッド部８２及び小径ロッド部８３が挿通される。アシスト部材９３の第３開口部１０３内に入力プランジャ７５の押圧ロッド部８４が挿通される。
【００２６】
アシスト部材９３の上側の平面部９７には、所定幅の案内凹部１１０が軸方向に沿って所定距離形成されている。この案内凹部１１０に、ストローク検出装置５３の、複数の磁石部材１１２を保持した磁石ホルダ１１４が軸方向に沿って移動自在に支持されている。ストローク検出装置５３は、ブレーキペダル７８の操作量に基づく、入力部材５４（入力ロッド７４及び入力プランジャ７５）の移動量を検出するものである。ストローク検出装置５３は、複数の磁石部材１１２（本実施形態では、磁石部材１１２は３箇所配置される）と、ホールセンサユニット（図示略）と、を備えている。各磁石部材１１２は、磁石ホルダ１１４により保持される。上述したように、磁石ホルダ１１４は、上側の平面部９７の案内凹部１１０に軸方向に沿って移動自在に支持される。磁石ホルダ１１４は、連結部材（図示略）を介して入力プランジャ７５と連結されている。該連結部材は、アシスト部材９３に設けた溝部９８内を前後方向に移動自在に配置される。これにより、入力プランジャ７５の移動に伴って、磁石ホルダ１１４、すなわち各磁石部材１１２が移動するようになる。
【００２７】
一方、図示は省略するが、ホールセンサユニットは、磁石ホルダ１１４に保持された各磁石部材１１２から発生する磁束密度により、入力部材５４の移動量を表す信号を出力するものである。ホールセンサユニットは、各磁石部材１１２の移動経路、すなわち入力プランジャ７４の上側の平面部９７に設けた案内凹部１１０に近接した位置に配置されている。そして、軸方向に移動する各磁石部材１１２からの磁束密度の変化をホールセンサユニットにより検出することで、各磁石部材１１２を含む磁石ホルダ１１４の移動量、ひいては入力部材５４の移動量を検出するようにしている。
【００２８】
図３及び図５に示すように、アシスト部材９３の前方には、出力ロッド１１６が配置される。具体的に、出力ロッド１１６は、前方に位置する円筒状部１１７と、該円筒状部１１７の後端から一体的に設けられ、円筒状部１１７よりも大径に形成されるカップ部１１８と、該円筒状部１１７内に固定される押圧ロッド１１９と、を備えている。アシスト部材９３前端の小径円筒部９６は、出力ロッド１１６のカップ部１１８内に径方向で互いに当接するように配置される。出力ロッド１１６のカップ部１１８内には、アシスト部材９３の小径円筒部９６の前端面に当接するように略円板状のリアクションディスク１２１が配置される。リアクションディスク１２１の外周面は、出力ロッド１１６のカップ部１１８の内周面に当接される。該リアクションディスク１２１は、ゴム等の弾性体で構成される。リアクションディスク１２１には、アシスト部材９３の第３開口部１０３内に配置される入力プランジャ７５の押圧ロッド部８４の前端面が当接可能となる。押圧ロッド１１９の前端面は球状面１２３に形成される。そして、出力ロッド１１６の円筒状部１１７の前部、及び押圧ロッド１１９が、プライマリピストン７の中間壁１０に向かって延びて、出力ロッド１１６の押圧ロッド１１９の前端面に設けた球状面１２３が、プライマリピストン７の中間壁１０の後面に設けた球状凹部１１に当接される。
【００２９】
アシスト部材９３の環状受け部９４の受け面９５には、後方から推力伝達部材１２６が当接される。該推力伝達部材１２６は、環状受け部９４の受け面９５に当接する円筒状の伝達本体部１２８と、該伝達本体部１２８の外周部から一体的に延びる一対（１８０°ピッチ）のアーム状支持部１２９、１２９と、を備えている。伝達本体部１２８は、その内壁面前端に、アシスト部材９３の環状受け部９４（受け面９５）に当接するように、前方に向かって拡径されるテーパ状の押圧面１３１が形成される。各アーム状支持部１２９、１２９は、その先端に貫通支持孔１３３、１３３がそれぞれ形成される。貫通支持孔１３３、１３３は、平面視略矩形状に形成される。この貫通支持孔１３３において、短手側の開口幅は、後述するナット部材１６１の六角筒部１７１における一対の壁面間の長さに略一致しており、アーム状支持部１２９の貫通支持孔１３３内にナット部材１６１の六角筒部１７１が相対回転不能に支持される。マスタシリンダ２のプライマリピストン７の周りであって、アシスト部材９３の環状受け部９４の前面と、フロントハウジング６１の開口部６１Ａ周辺との間に圧縮コイルばね１３５が配置されている。該圧縮コイルばね１３５の外径は、アシスト部材９３の環状受け部９４の外径と略一致する。この圧縮コイルばね１３５は、その付勢力により、アシスト部材９３を後方、すなわち後退方向に向かって付勢し、戻しばねとして機能する。
【００３０】
図１及び図２も参照して、電動モータ５０は、マスタシリンダ２よりも下方に配置される。図３に示すように、電動モータ５０の回転軸１４０は、後方に向かってリアハウジング６２内に延びている。詳しくは、該回転軸１４０は、後述するケーシング１８１の開口部１９０、及び制御基板１８０の開口部１８６を挿通してリアハウジング６２内に延びている。回転軸１４０において、制御基板１８０より前方で該制御基板１８０に近接する部位に磁石ホルダ１４１Ａが配設されている。該磁石ホルダ１４１Ａには、その後面に露出するように磁石部材１４１Ｂが支持されている。また電動モータ５０の後端部にモータ側バスバ１９８が配置され、電動モータ５０にモータ側バスバ１９８が電気的に接続されている。電動モータ５０の後端部は、後述するケーシング１８１の円筒状壁部１９２周りに連結される。電動モータ５０の回転軸１４０からの回転は、減速機構５１を経由して、回転直動変換機構５２の各ねじ軸部材１６０、１６０に伝達される。減速機構５１は、遊星歯車減速機構１４２及び平歯車減速機構１４３から構成される。電動モータ５０の回転軸１４０に遊星歯車減速機構１４２が連結されている。遊星歯車減速機構１４２は、リアハウジング６２及びギヤハウジング６５内に収容される。
【００３１】
図３及び図４に示すように、遊星歯車減速機構１４２は、電動モータ５０の回転軸１４０に相対回転不能に支持されるサンギヤ１４６と、該サンギヤ１４６にそれぞれ噛み合い、該サンギヤ１４６の周方向に沿って複数配置されるプラネタリギヤ１４７と、各プラネタリギヤ１４７に内歯１４８Ａが噛み合い、該各プラネタリギヤ１４７を囲むようにして相対回転不能に支持される円環状のインターナルギヤ１４８と、各プラネタリギヤ１４７に連結されて、サンギヤ１４６の軸線周りを回転するキャリア１４９と、を備えている。サンギヤ１４６は、外周面に形成される歯車部１４６Ａと、歯車部１４６Ａから同心状に後方に向かって延びる軸部１４６Ｂと、径方向中心に形成される孔部１４６Ｃと、を有している。サンギヤ１４６の孔部１４６Ｃに電動モータ５０の回転軸１４０が固定される。
【００３２】
各プラネタリギヤ１４７は、その外周面に歯車部１４７Ａを有し、その径方向中心にピン用孔部１４７Ｂが形成される。各プラネタリギヤ１４７は、その歯車部１４７Ａがサンギヤ１４６の歯車部１４６Ｂ及びインターナルギヤ１４８の内歯１４８Ａそれぞれに噛み合っている。インターナルギヤ１４８は、リアハウジング６２及びギヤハウジング６５に回転不能に支持されている。インターナルギヤ１４８の内周面には、各プラネタリギヤ１４７の歯車部１４７Ａに噛み合う内歯１４８Ａが形成されている。キャリア１４９は、円板状のベース部１４９Ａと、該ベース部１４９Ａの前面の外周部に周方向に間隔を置いて前方に向かって一体的に突設される複数のピン部１４９Ｂと、ベース部１４９Ａの後面の径方向中心から後方に一体的に延びる支持軸部１４９Ｃと、を備えている。ベース部１４９Ａの前面で径方向中心には支持凹部１４９Ｄが形成される。この支持凹部１４９Ｄにサンギヤ１４６の軸部１４６Ｂが収容される。軸部１４６Ｂの外周面とベース部１４９Ａの支持凹部１４９Ｄの内周面との間にはスリーブ１５１が配置される。キャリア１４９の各ピン部１４９Ｂが、各プラネタリギヤ１４７の各ピン用孔部１４７Ｂに回転自在にそれぞれ挿通される。キャリア１４９の支持軸部１４９Ｃには、第１ギヤ１５３が相対回転不能に支持されている。支持軸部１４９Ｃの後端は、ギヤハウジング６５に回転自在に支持されている。
【００３３】
図４及び図５に示すように、遊星歯車減速機構１４２からの回転は、平歯車減速機構１４３を経由して回転直動変換機構５２に伝達される。回転直動変換機構５２は、遊星歯車減速機構１４２からの回転が分配されて共に回転するねじ軸部材１６０、１６０と、各ねじ軸部材１６０、１６０それぞれに係合して、各ねじ軸部材１６０、１６０の回転によって該ねじ軸部材１６０、１６０の軸方向に沿って直動する直動部材としてのナット部材１６１、１６１と、を備えている。各ねじ軸部材１６０、１６０は、マスタシリンダ２の軸線とは異なった径方向外方にそれぞれ位置している。詳しくは、各ねじ軸部材１６０、１６０は、マスタシリンダ２の軸線に対して左右方向両側に配置されている。各ねじ軸部材１６０、１６０の軸線は、マスタシリンダ２の軸線と略平行である。各ねじ軸部材１６０の軸線は、電動モータ５０の回転軸１４０と略平行であり、遊星歯車減速機構１４２のサンギヤ１４６及びキャリア１４９の回転軸線と略平行である。各ねじ軸部材１６０は、雄ねじ部１６３と、雄ねじ部１６３から後方に一体的に延び、雄ねじ部１６３より大径の多段軸部１６４と、該多段軸部１６４から後方に一体的に延びる第２ギヤ１５４と、を備えている。
【００３４】
各ねじ軸部材１６０の雄ねじ部１６３の前端は、マスタシリンダ２の後端部付近に位置して、雄ねじ部１６３の後端は、リアハウジング６２の円筒状ハウジング６６の前端より若干後方に位置している。各ねじ軸部材１６０の多段軸部１６４が、リアハウジング６２内のリアベアリング６３の支持孔６３Ａ内に回転自在に支持されている。各ねじ軸部材１６０の前端には、前側ばね受け部１６６が取り付けられている。各ねじ軸部材１６０の前端部は、フロントハウジング６１の前壁部に設けた凹部６１Ｂに回転自在に支持されている。前側ばね受け部１６６は、フロントハウジング６１の凹部６１Ｂ周辺に配置される。各ねじ軸部材１６０には、ナット部材１６１が螺合されている。ナット部材１６１は、前端に位置する小径円筒部１７０と、該小径円筒部１７０から一体的に後方に延び、外周面が六角形に形成される六角筒部１７１と、六角筒部１７１から一体的に後方に延びる大径円筒部１７２と、から構成される。
【００３５】
ナット部材１６１の小径円筒部１７０の外周面から、小径円筒部１７０と六角筒部１７１との間の段差部に亘って後側ばね受け部１６７が配置されている。各ねじ軸部材１６０の雄ねじ部１６３の周りであって、前側ばね受け部１６６と後側ばね受け部１６７との間に圧縮コイルばね１７５が配置されている。当該圧縮コイルばね１７５の外径は、ナット部材１６１の六角筒部１７１の角部を結ぶ円形状の外径と略一致する。この圧縮コイルばね１７５は、その付勢力により、ナット部材１６１を後方、すなわち後退方向に向かって付勢し、戻しばねとして機能する。圧縮コイルばね１７５の外径は、圧縮コイルばね１３５の外径より小径である。
【００３６】
各ナット部材１６１の六角筒部１７１の一対の壁面が、推力伝達部材１２６の各アーム状支持部１２９の貫通支持孔１３３の短手側の対向面に当接するように、各ナット部材１６１が、推力伝達部材１２６の各アーム状支持部１２９の貫通支持孔１３３に挿通される。これにより、各ナット部材１６１は、推力伝達部材１２６の各アーム状支持部１２９の貫通支持孔１３３に対して相対回転不能に支持される。
【００３７】
図４及び図５に示すように、平歯車減速機構１４３は、遊星歯車減速機構１４２のキャリア１４９の支持軸部１４９Ｃに一体的に設けられる第１ギヤ１５３と、回転直動変換機構５２の各ねじ軸部材１６０に一体的に設けられる第２ギヤ１５４と、これら第１ギヤ１５３と各第２ギヤ１５４、１５４との間に配置され、第１ギヤ１５３及び各第２ギヤ１５４、１５４に噛み合う各伝達ギヤ（図示略）と、から構成される。
【００３８】
そして、電動モータ５０の回転軸１４０が回転すると、サンギヤ１４６の周りを各プラネタリギヤ１４７が回転すると共に、キャリア１４９がサンギヤ１４６の軸線周りを回転する。続いて、キャリア１４９からの回転は、第１ギヤ１５３から各伝達ギヤ及び第２ギヤ１５４、１５４を経て、各ねじ軸部材１６０、１６０に伝達される。続いて、各ねじ軸部材１６０が回転すると、各ねじ軸部材１６０に螺合しているナット部材１６１が、各圧縮コイルばね１７５の付勢力に抗して、各ねじ軸部材１６０の軸方向に沿って直動する。その結果、各ナット部材１６１の大径円筒部１７２により推力伝達部材１２６が押圧されて前進することで、アシスト部材９３が、圧縮コイルばね１３５の付勢力に抗して前進する。
【００３９】
図３、図６及び図７に示すように、コントローラ５５は、制御基板１８０と、該制御基板１８０を収容するケーシング１８１と、を備えている。制御基板１８０は、ストローク検出装置５３、回転軸１４０の回転角を検出するための磁気センサ２０５及び電動モータ５０に供給する電流値を検出する電流センサ（図示略）等の各種センサからの検出信号や、マスタシリンダ２のプライマリ室１３及びセカンダリ室１４の液圧を検出する液圧センサ（図示略）からの信号等を取得する。なお、液圧信号の取得に当たっては液圧センサから直接、または、ＣＡＮを介して取得する。そして、制御基板１８０により、これらの信号に基づき、電動モータ５０の駆動を制御する。電動モータ５０の駆動を制御することで、回転直動変換機構５２によってアシスト部材９３を推進させて、所望の倍力比をもって、マスタシリンダ２内のプライマリ室１３及びセカンダリ室１４にブレーキ液圧を発生させる。
【００４０】
コントローラ５５は、電動モータ５０の回転軸１４０の軸方向において、該電動モータ５０と、減速機構５１の遊星歯車減速機構１４２との間に配置されている。ケーシング１８１は、長手側が左右方向に延び、下方に向かってやや突出する扇形状の箱体にて構成される。ケーシング１８１は、後方から凹設され、制御基板１８０の第１基板部１８４を支持する第１支持凹部１８８を有する。第１支持凹部１８８の外形は、制御基板１８０の第１基板部１８４の外形に対応して形成される。この第１支持凹部１８８の底壁から後方に向かって複数の支持シャフト１８９が突設される。各支持シャフト１８９は、第１支持凹部１８８内でその外周壁部に近接した位置に互いに間隔をあけて配置されている。これら支持シャフト１８９に、制御基板１８０の第１基板部１８４が支持される。ケーシング１８１の後端にリアハウジング６２の前端が連結されて、ケーシング１８１の第１支持凹部１８８が閉塞される。ケーシング１８１の底壁には、電動モータ５０の回転軸１４０が挿通される開口部１９０が形成される。
【００４１】
図６及び図７を参照して、ケーシング１８１の底壁の前面であって、開口部１９０の周りから前方に向かって円筒状壁部１９２が突設されている。円筒状壁部１９２の内径は開口部１９０の内径より大きく形成される。ケーシング１８１の円筒状壁部１９２内で、開口部１９０周りの底壁からは、複数のバスバコンタクト部１９４が電動モータ５０に向かって突設される。またケーシング１８１の第１支持凹部１８８内でその底壁からは、複数のバスパコンタクト部１９５が制御基板１８０の第１基板部１８４に向かって突設されている。当然ながら、これら、各バスバコンタクト部１９４と各バスバコンタクト部１９５とは、電気的に接続されている。そして、複数のバスバコンタクト部１９４が、電動モータ５０のモータ側バスバ１９８に電気的に接続される。一方、複数のバスバコンタクト部１９５が、制御基板１８０に電気的に接続される。これにより、電動モータ５０（モータ側バスバ１９８）は、各バスバコンタクト部１９４、１９５を介して制御基板１８０に電気的に接続される。上述したように、ケーシング１８１の円筒状壁部１９２の前端開口を閉塞するように、円筒状壁部１９２の周りにモータ側バスバ１９８を介して電動モータ５０が連結される。
【００４２】
図６及び図７に示すように、ケーシング１８１の左右方向一端には、内部に第２支持凹部２００を有する支持部２０１が前方に向かって突設されている。第２支持凹部２００は、第１支持凹部１８８から連続して形成される。支持部２０１は、縦長の略直方体状に形成される。支持部２０１の突出量は、円筒状壁部１９２の突出量よりも相当大きくなる。その結果、第２支持凹部２００の深さは、第１支持凹部１８８の深さよりも相当深く形成される。このケーシング１８１の支持部２０１の第２支持凹部１８８内に、制御基板１８０の第２基板部１８５が支持される。また、ケーシング１８１には、支持部２０１と左右方向にて反対側にコネクタ部１８２が前方に向かって突設されている。コネクタ部１８２は制御基板１８０と電気的に接続されている。コネクタ部１８２は、電動モータ５０の回転軸１４０と平行に前方に向かって突設される。図２も参照して、コネクタ部１８２は電動モータ５０の近傍に配置されている。このコネクタ部１８２が、車両側との電気的な接続部位となる。
【００４３】
制御基板１８０は、マスタシリンダ２の軸方向と直交する方向に延びる第１基板部１８４と、第１基板部１８４の長手方向一端に一体的に接続され、マスタシリンダ２の軸方向と平行に延びる第２基板部１８５と、から構成される。第１基板部１８４には、電動モータ５０の回転軸１４０が挿通される開口部１８６が形成される。上述したように、制御基板１８０の第１基板部１８４が、ケーシング１８１の第１支持凹部１８８の底壁から立設される複数の支持シャフト１８９に支持される。第１基板部１８４の開口部１８６と、ケーシング１８１の底壁に設けた開口部１９０とは、同心状に配置される。制御基板１８０の第２基板部１８５は略矩形状に形成される。この第２基板部１８５は第１基板部１８４長手方向一端から前方に向かって延びている。第２基板部１８５は、上述したように、ケーシング１８１の支持部２０１の第２支持凹部２００内に支持される。また、多くの電子部品（図示略）は、その電子部品の発熱量に基づいて、制御基板１８０の第１基板部１８４または第２基板部１８５のいずれかに実装される。詳しくは、発熱量が基準値よりも大きい電子部品は、第１基板部１８４に実装される。一方、発熱量が基準値よりも小さい電子部品は、第２基板部１８５に実装される。
【００４４】
図３及び図６から解るように、制御基板１８０の第１基板部１８４の前面であって、その開口部１８６の周りに複数の磁気センサ２０５が配置されている。これにより、電動モータ５０の回転軸１４０の磁石ホルダ１４１Ａに保持された磁石部材１４１Ｂと、各磁気センサ２０５とが近接して配置される。そして、電動モータ５０の回転軸１４０の回転に伴う磁石部材１４１Ｂからの磁場変化を各磁気センサ２０５により検出することで、回転軸１４０の回転角度を検出するようにしている。
【００４５】
次に、本実施形態に係る電動倍力装置１の作用を説明する。
図３に示すブレーキペダル７８の非操作状態から、ブレーキペダル７８が操作される、すなわち、ブレーキペダル７８が踏み込まれると、入力ロッド７４と共に入力プランジャ７５が前進して、その入力プランジャ７５の押圧ロッド部８４がリアクションディスク１２１を押圧する。また、ブレーキペダル７８の操作に伴って入力部材５４（入力ロッド７４及び入力プランジャ７５）が前進すると、ストローク検出装置５３により、入力部材５４の移動量が検出されると共に、磁気センサ２０５により、電動モータ５０の回転軸１４０の回転角度が検出されて、それぞれ検出結果等に基づいて、コントローラ５５により電動モータ５０の駆動が制御される。
【００４６】
電動モータ５０の回転軸１４０からの回転は、遊星歯車減速機構１４２及び平歯車減速機構１４３を経て回転直動変換機構５２の各ねじ軸部材１６０、１６０に伝達される。続いて、各ねじ軸部材１６０、１６０の回転に伴って、各ねじ軸部材１６０、１６０に螺合しているナット部材１６１、１６１が、各圧縮コイルばね１７５、１７５の付勢力に抗して各ねじ軸部材１６０、１６０の軸方向に沿って前進する。すると、各ナット部材１６１、１６１の大径円筒部１７２、１７２により推力伝達部材１２６が押圧されて前進し、該推力伝達部材１２６の伝達本体部１２８の押圧面１３１が、アシスト部材９３の環状受け部９４の受け面９５を押圧することで、アシスト部材９３が圧縮コイルばね１３５の付勢力に抗して前進する。このように、アシスト部材９３が入力部材５４（入力ロッド７４及び入力プランジャ７５）を追従するように、該入力部材５４との相対変位を維持したまま前進して、リアクションディスク１２１を入力プランジャ７５の押圧ロッド部８４と共に押圧する。
【００４７】
この結果、ブレーキペダル７８の操作に伴う入力部材５４による推進力と、電動モータ５０の回転に伴うアシスト部材９３の推進力とが、リアクションディスク１２１を介して出力ロッド１１６に伝達されて、該出力ロッド１１６が前進することで、マスタシリンダ２のプライマリピストン７及びセカンダリピストン８が前進する。
【００４８】
そして、マスタシリンダ２のプライマリ室１３及びセカンダリ室１４にブレーキ液圧がそれぞれ発生して、これらプライマリ室１３及びセカンダリ室１４で発生した液圧が、液圧制御ユニットを介して各車輪のホイールシリンダに供給され、摩擦制動による制動力が発生する。マスタシリンダ２における液圧発生時には、プライマリ室１３及びセカンダリ室１４の液圧を、リアクションディスク１２１を介して入力プランジャ７５の押圧ロッド部８４によって受圧し、その液圧による反力が、入力部材５４（入力ロッド７４及び入力プランジャ７５）を介してブレーキペダル７８に伝達されるようになる。そして、アシスト部材９３の小径円筒部９６の前端面の受圧面積と、入力プランジャ７５の押圧ロッド部８４の前端面の受圧面積との比が、倍力比（ブレーキペダル７８の操作入力に対する液圧出力の比）となって、所望の制動力を発生させることができる。
【００４９】
一方、ブレーキペダル７８の操作を解除する、すなわちブレーキペダル７８への踏み込みを解除すると、入力部材５４が、マスタシリンダ２（プライマリ室１３及びセカンダリ室１４）からの液圧による反力によって後退する。続いて、ストローク検出装置５３により、入力部材５４の移動量が検出されると共に、磁気センサ２０５により、電動モータ５０の回転軸１４０の回転角度が検出されて、それぞれ検出結果に基づいて、コントローラ５５により電動モータ５０の駆動（逆回転）が制御され、その逆回転が遊星歯車減速機構１４２及び平歯車減速機構１４３を経由して回転直動変換機構５２の各ねじ軸部材１６０、１６０に伝達される。
【００５０】
続いて、これらねじ軸部材１６０、１６０の逆回転に伴って、各ねじ軸部材１６０、１６０に螺合しているナット部材１６１、１６１が、各圧縮コイルばね１７５、１７５の付勢力も付加されつつ各ねじ軸部材１６０、１６０の軸方向に沿って後退する。これにより、アシスト部材９３は、マスタシリンダ２（プライマリ室１３及びセカンダリ室１４）からの液圧による反力を含む圧縮コイルばね１３５の付勢力によって各ナット部材１６１（推力伝達部材１２６を含む）と共に、入力部材５４との相対変位を維持しながら後退して、初期位置に戻るようになる。これにより、マスタシリンダ２のプライマリピストン７及びセカンダリピストン８が後退して、マスタシリンダ２のプライマリ室１３及びセカンダリ室１４の液圧が減圧されて制動力が解除される。
【００５１】
以上説明した、本実施形態に係る電動倍力装置１では、コントローラ５５を、マスタシリンダ２の軸方向、言い換えれば電動モータ５０の回転軸１４０の軸方向において、減速機構５１としての遊星歯車減速機構１４２と電動モータ５０との間に配置しているので、車両の限られたスペース内に設置することができ、車両への搭載性が良好となる。また、本実施形態に係る電動倍力装置１では、ケーシング１８１における、電動モータ５０の近傍に、コントローラ５５の制御基板１８０と電気的に接続されるコネクタ部１８２が配置されている。このコネクタ部１８２は、電動モータ５０の回転軸１４０と平行に配置される。これにより、コネクタ部１８２によって、制御基板１８０と車両側との電気的な接続を容易に行うことができる。
【００５２】
さらに、本実施形態に係る電動倍力装置１では、コントローラ５５の制御基板１８０は、電動モータ５０の回転軸１４０の軸方向に対して直交する方向に延びる第１基板部１８４と、該第１基板部１８４と一体的に接続され、回転軸１４０の軸方向に対して平行に延びる第２基板部１８５と、を備えている。これにより、本電動倍力装置１を制御するのに必要な電子部品を実装するための基板面積を確保することができる。また、制御基板１８０が、回転軸１４０の軸方向に対して平行に延びる第２基板部１８５を設けているので、本電動倍力装置１において、マスタシリンダ２の径方向に沿う大きさを小型化することができる。
【００５３】
さらにまた、本実施形態に係る電動倍力装置１では、制御基板１８０の第１基板部１８４に、電動モータ５０の回転軸１４０が挿通される開口部１８６が形成される。これにより、本電動倍力装置１において、マスタシリンダ２の径方向及び軸方向に沿う大きさを小型化することができる。さらにまた、本実施形態に係る電動倍力装置１では、制御基板１８０の電子部品において、発熱量が基準値よりも大きい電子部品は第１基板部１８４に実装され、一方、発熱量が基準値よりも小さい電子部品は第２基板部１８５に実装される。これにより、制御基板１８０の各電子部品による温度上昇を抑制することができる。
【符号の説明】
【００５４】
１  電動倍力装置，２  マスタシリンダ，７  プライマリピストン，８  セカンダリピストン，５０  電動モータ，５１  減速機構，５２  回転直動変換機構，５４  入力部材，５５  コントローラ，７４  入力ロッド，７５  入力プランジャ，１４０  回転軸，１４２  遊星歯車減速機構，１８０  制御基板，１８２  コネクタ部，１８４  第１基板部，１８５  第２基板部，１８６  開口部
【図１】
2019142342.tif 000003
【図２】
2019142342.tif 000004
【図３】
2019142342.tif 000005
【図４】
2019142342.tif 000006
【図５】
2019142342.tif 000007
【図６】
2019142342.tif 000008
【図７】
2019142342.tif 000009